(57)【特許請求の範囲】
【請求項１】
陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部から取付基板と略平行に、移動側レール後方に突出する水平突片と、水平突片の後端から前側が順次開く変移用間隙を有して前方に突出し、前端部に固定側レール前端ストッパーが係合する係合孔が形成されている案内傾斜片と、案内傾斜片の前端に連設され、移動側レールの前方に突出する操作突片が弾性を有する材料より一体に構成されている事を特徴とするスライドレールのロック装置。
【請求項２】
陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部から取付基板と略平行に、移動側レールの後方に突出する水平突片と、水平突片の後端から前側が順次開く変移用間隙を有して前方に突出し、前端部に固定側レール前端ストッパーの内面側に係止する係止突片が形成されている案内傾斜片と、案内傾斜片の前端に連設され、移動側レールの前方に突出する操作突片が弾性を有する材料より一体に構成されている事を特徴とするスライドレールのロック装置。
【請求項３】
陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部の端部から取付基板と略平行に、移動側レールの後方に突出する水平突片と、水平突片の後端から前側が順次開く変移用間隙を有して前方に突出し、前端部に固定側レール前端ストッパーの内面側に係止する係止段部が形成されている案内傾斜片と、案内傾斜片の前端に連設され、移動側レールの前方に突出する操作突片が弾性を有する材料より一体に構成されている事を特徴とするスライドレールのロック装置。
【発明の詳細な説明】
【０００１】
【産業上の利用分野】
本発明は、陳列棚等の棚板類を本体内に収納した状態を維持するスライドレールのロック装置に関するものである。
【０００２】
【従来の技術】
従来、抽斗あるいは陳列棚の棚板類を本体内に収納した状態で維持するスライドレールとして、固定側レールの端部を内方に折り曲げて形成した抜止ストッパーに弾性体からなる山形の係合突部を有するはね返り防止部材をとりつけ、該係合突部を移動側レールの端部を内方に折り曲げてもうけたストッパーに係合せしめる事により、移動側レールが固定側レールに最も収納された状態を維持したり（例えば、実開昭５７ー１８９４５０号）、あるいは、固定側レールの基板の後端の一部を弾性を付与して移動側レール側に突出せしめてはね返り防止突片を形成すると共に、移動側レールの後端内面にはね返り防止突片の後端が弾性的に当接するストッパー部を形成したもの（実開昭６０ー１８７６３３号）が提供されてきた。
【０００３】
しかし、これらはいずれも、移動側レールが固定側レールに収納された状態で、移動側レールが弾性的に固定側レールと係止されているだけであるので、輸送途中、あるいは地震等で本体が、傾いたり揺動したりすると、不測に棚板等が飛び出す恐れがあった。
この為、固定側レールの後端部に収納時ストッパーを上方に突出せしめ、移動側レールの後端部に移動側レールが最も収納された状態で、前記収納時ストッパーの後端に係止するストッパー部材を回動自在に設け、ストッパー部材に回動操作軸を連設せしめ、回動操作軸の先端を移動側レールの前端部まで延出せしめ、移動側レールの前側で回動操作軸を回動させる事によりを収納時ストッパーとストッパー部材の係止状態を解除する手段も提供されてきた（実公昭６２ー８７６１号）が、部品点数が多く、又製作上スライドレール自体に溶接等の加工が必要となり、コストアップの要因となっていた。
【発明が解決しようとする課題】
【０００４】
本発明は、上記欠点を解決する事を課題とし、簡単な構造で取付が容易で生産性に優れ、安価に製作でき、棚板類の不測の飛び出しが完全に防止できるスライドレールのロック装置を提供する事を目的とする。
【０００５】
【課題を解決する為の手段】
上記課題を解決する為、本発明が手段とする第１の特徴は、陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部から取付基板と略平行に、移動側レール後方に突出する水平突片と、水平突片の後端から前側が順次開く変移用間隙を有して前方に突出し、前端部に固定側レール前端ストッパーが係合する係合孔が形成されている案内傾斜片と、案内傾斜片の前端に連設され、移動側レールの前方に突出する操作突片が弾性を有する材料より一体に構成されているものである。
【０００６】
次に本発明が手段とする第２の特徴は  陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部から取付基板と略平行に、移動側レールの後方に突出する水平突片と、水平突片の後端から前側が順次開く変移用間隙を有して前方に突出し、前端部に固定側レール前端ストッパーの内面側に係止する係止突片が形成されている案内傾斜片と、案内傾斜片の前端に連設され、移動側レールの前方に突出する操作突片が弾性を有する材料より一体に構成されているものである。
【０００７】
次に本発明が手段とする第３の特徴は、陳列棚等の本体に固定される固定側レールと、固定側レールに対し摺動自在に配設された移動側レールと、移動側レールの先端部に保持された移動側レールロック部材よりなるスライドレールにおいて、移動側レールロック部材は、移動側レールの基板の先端部内面に位置する取付基板と、取付基板に連設され、移動側レールの折曲縁内面に嵌入圧接する圧接翼片と、取付基板の前端部に連設され、移動側レール前端ストッパーに嵌合する嵌合部と、嵌合部の端部から取付基板と略平行に、移動側レールの後方に突出する水平突片と、水平突片の後端から前側が順次開く変移用間隙を有して前方に突出し、前端部に固定側レール前端ストッパーの内面側に係止する係止段部が形成されている案内傾斜片と、案内傾斜片の前端に連設され、移動側レールの前方に突出する操作突片が弾性を有する材料より一体に構成されている事ものである。
【０００８】
【実施例】
本発明のスライドレールの基本的構成を（図１〜図５）に基づいて説明する。
スライドレール１００は、陳列棚等の本体１０の内面に連結される固定側レール１と、固定側レール１に対し、ボール保持板３に回転自在に保持された複数個のボール３０・・・を介して摺動自在に設けられた中間レール４と、中間レール４に対し、ボール保持板５に回転自在に保持された複数個のボール５０・・・を介して摺動自在に設けられた移動側レール２より構成され、移動側レール２の前端部内面に、移動側レール２が固定側レール１に収納された状態を保持する移動側レールロック部材が設けられている。
【０００９】
固定側レール１は、金属製の細長条板の短手両端部を内向き円弧状に折り曲げて形成された内面長手方向（摺動方向）にボール案内溝を有する折曲縁１１、１１と、基板１２より断面略Ｃ字形をなし、摺動方向前端部に、基板１２の一部が移動側レール２方向に突出し、中間レール４等を介して、移動側レール２を最大引き出した状態で停止させ、スライドレール１００を最大伸長となす固定側レール前端ストッパー１３と、摺動方向後端部に、基板１２を移動側レール２方向に突出し、中間レール４等を介して、移動側レール２が最も収納された状態で停止させ、スライドレール１００を最大縮小状態となす固定側レール後端ストッパー（図示せず。）が形成されている。
【００１０】
移動側レール２は、固定側レール１とほぼ同等の長さで、金属製の細長条板の短手両端部を内向き円弧状に折り曲げて形成された内面長手方向（摺動方向）にボール案内溝を有する折曲縁２１、２１と、基板２２より固定側レール１に対向する断面略Ｃ字形に形成されている。
そして、基板２２の前端部には、前記固定側レール１方向に突出し、移動側レール２の収納時に中間レール４の前端に当接すると共に、移動側レールロック部材６の取付部材を兼用する移動側レール前端ストッパー２２１が形成され、基板２２の後端部には、スライドレール１００の最大伸長状態でボール保持板５の後端に当接する移動側レール後端ストッパー（図示せず。）が形成されている。
【００１１】
中間レール４は、帯状金属板にて上記固定側レール１と移動側レール２とに挿入可能な大きさに形成されている。
すなわち、金属製の細長条板の短手両端部を外向き円弧状に折り曲げて形成された上下折曲縁４２、４２と基板４１からなる断面略Ｃ字形に形成された２つの部材が、背中合わせで、摺動方向にずらして固着された、上下左右両折曲縁４２、４２、４３、４３を有する断面略Ｉ字形で、固定側レール１及び移動側レール２とほぼ同長に形成されている。
【００１２】
そして、中間レール４の基板４１の後端部に固定側レール１側に突出し、移動側レール２の引き出し時、ボール保持板３の後端部に当接し、移動側レール２の収納時、固定側レール１の固定側レール後端ストッパー（図示せず。）の内面に当接する中間レール後端ストッパー（図示せず。）が形成され、基板４１の前端部に移動側レール２側に突出し、移動側レール２の引き出し時、ボール保持板５の前端部が内面に当接し、移動側レール２の収納時、前記移動側レール前端ストッパー２２１の内面が当接する中間レール前端ストッパー４４が形成されている。符号４５は中間レール４の補強材を示している。
【００１３】
ボール保持板３は帯条金属板にて中間レール４より所定寸法短くした、固定側レール１と中間レール４間に挿入可能な大きさの基板３１と、固定側レール１と中間レール４の各折曲縁１１、１１、４３、４３間に位置する突出縁３２、３２より断面略コ字形に形成され、突出縁３２、３２の長手方向（摺動方向）数個所でボール３０・・・を回転自在に保持している。
【００１４】
ボール保持板５は帯条金属板にて中間レール４より所定寸法短くした、移動側レール２と中間レール４間に挿入可能な大きさの基板５１と、移動側レール２と中間レール４の各折曲縁２１、２１、４２、４２間に位置する突出縁５２、５２より断面略コ字形に形成され、突出縁５２、５２の長手方向（摺動方向）数個所でボール５０・・・を回転自在に保持している。
【００１５】
スライドレール１００は上記の如く構成され、移動側レール２が固定側レール１に最も収納された状態（中間レール後端ストッパーが固定側レール１後端ストッパーの内面に当接し、移動側レール前端ストッパー２２１が後記する移動側レールロック部材６を介して中間レール前端ストッパー４４の内面に当接した状態）から、移動側レールロック部材６のロック状態を解除して、移動側レール２を前方に引き出していくと、移動側レール２の移動距離の２分の１ボール保持板５は移動し、中間レール４の移動距離の２分の１ボール保持板３は移動する事により、ボール保持板５の前端が中間レール４の中間レール前端ストッパー４４の内面に当接し、同時に移動側レール後端ストッパーの内面がボール保持板５の後端に当接し、ボール保持板３の前端が、固定側レール前端ストッパー１３の内面に当接し、中間レール４の中間レール後端ストッパーの内面がボール保持板３の後端に当接して、移動側レール２は最大伸長状態で停止する。
【００１６】
第１実施例の移動側レールロック部材を図１から図５に基づいて説明する。
第１実施例の移動側レールロック部材６は、板バネ材より一体に構成されている。
すなわち、移動側レール２の基板２２の先端部内面に位置する取付基板６１と、取付基板６１の上下端部に連設され、移動側レール２の折曲縁２１、２１内面に嵌入圧接する圧接翼片６２、６２と、取付基板６１の前端部に連設され、移動側レール前端ストッパー２２１に嵌合する嵌合部６０と、の内面に当接する立ち上がり突片６３と、立ち上がり突片６３の嵌合部６０の端部から取付基板６１と略平行に、移動側レール２の後方に突出する水平突片６４と、水平突片６４の後端から前側が順次開く変移用間隙６００を有して前方に突出する案内傾斜片６５と、案内傾斜片６５の前端に連設され、移動側レール２の前方に突出する略逆くの字形の操作突片６６より構成されている。
そして、前記嵌合部６０は、移動側レール前端ストッパー２２１の内面に当接する立ち上がり突片６３と、立ち上がり突片６３の中央所定位置に、前記移動側レール前端ストッパー２２１の厚み分の嵌合用間隙を有して前方に突出する逆Ｌ字形の嵌合用突片６７よりなり、案内傾斜片６５の前端部には前記固定側レール前端ストッパー１３が係合する係合孔６８が形成されている。
符号６９は移動側レールロック部材６を移動側レール２により強固に取り付ける為の取り付け孔を示している。
【００１７】
移動側レールロック部材６は上記の如く構成されて、次のようにして移動側レール２に取付られる。
移動側レール２の先端部内面から、移動側レール前端ストッパー２２１が嵌合突片６７と立ち上がり突片６３間の嵌合用間隙内に嵌入するよう、移動側レールロック部材６の圧接突片６２、６２を移動側レール２の各折曲縁２１、２１間に嵌入すると、板バネ材の弾性によって、内向き円弧状の折曲縁２１、２１の内面に圧接突片６２、６２が圧接し、移動側レール前端ストッパー２２１は嵌合用間隙に嵌合するので、移動側レールロック部材６の前後左右及び上下方向への移動は、圧接突片６２、６２と各折曲縁２１、２１、嵌合用突片６７と立ち上がり突片６３と移動側レール前端ストッパー２２１、取付基板６１と基板２２よって阻止される。
【００１８】
移動側レールロック部材６は、上記の如く取り付けられ、移動側レール２が固定側レール１に完全に収納された状態で、案内傾斜片６５の係合孔６８が固定側レール前端ストッパー１３に係合し（図２に示す状態）、使用者の意思で係合状態を解除しない限り、移動側レール２は不用意に前方に移動する事はない。
次に、移動側レール２を引き出す時は、固定側レール１（移動側レール２）の前方に突出した操作突片６６を指先で移動側レール２の基板２２側（図４の矢印の方向に）に押しやり、係合孔６８と固定側レール前端ストッパー１３の係合状態を解除し、この状態を維持しながら移動側レール２を前方に引き出す。
【００１９】
そして、移動側レール２を引き出された状態から後方に移動させると（移動側レール２を固定側レール１に収納していくと）、移動側レールロック部材６の案内傾斜片６５が固定側レール前端ストッパー１３の端面に接触するので、案内傾斜片６５は取付基板６１側に変移しながら後方に移動する。そして、係合孔６８が固定側レール前端ストッパー１３と一致する位置に達した時、すなわち、スライドレール１００が最大縮小状態（固定側レール１に中間レール４、移動側レール２が収納された状態）となった時、弾性によって、案内傾斜片６５が初期状態に復帰し、係合孔６８と固定側レール前端ストッパー１３は係合し、スライドレール１０の最大縮小状態（固定側レール１に中間レール４、移動側レール２が収納された状態）を維持し、移動側レール２の不用意な前方への飛び出しを阻止する。
【００２０】
次に、移動側レールロック部材の第２実施例を図６から図７に基づいて説明する。
第２実施例の移動側レールロック部材７は、第１実施例同様板バネ材より一体に構成されている。
すなわち、移動側レール２の基板２２の先端部内面に位置する取付基板７１と、取付基板７１の上下端部に連設され、移動側レール２の折曲縁２１、２１内面に嵌入圧接する圧接翼片７２、７２と、取付基板７１の前端部に連設され、移動側レール前端ストッパー２２１に嵌合する嵌合部７０と、嵌合部７０の端部から取付基板７１と略平行に、移動側レール２の後方に突出する水平突片７４と、水平突片７４の後端から前側が順次開く変移用間隙７００を有して前方に突出する案内傾斜片７５と、案内傾斜片７５の前端に連設され、移動側レール２の前方に突出する操作突片７６より構成されている。
そして、前記嵌合部７０は、移動側レール前端ストッパー２２１の内面に当接する立ち上がり突片７３と、立ち上がり突片７３の中央所定位置に、前記移動側レール前端ストッパー２２１の厚み分の嵌合用間隙を有して前方に突出する逆Ｌ字形の嵌合用突片７７よりなり、案内傾斜片７５の前端部に前記固定側レール前端ストッパー１３の内面側に係止する係止突片７８が形成されている。
符号７９は移動側レールロック部材６を移動側レール２により強固に取り付ける為の取り付け孔を示している。
【００２１】
移動側レールロック部材７は上記の如く構成されて、第１実施例の移動側レールロック部材６と同様して移動側レール２に取付られる。
、移動側レール２が固定側レール１に完全に収納された状態で、案内傾斜片７５の係止突片７８が固定側レール前端ストッパー１３の内面側に係止し（図６に示す状態）、使用者の意思で係合状態を解除しない限り、移動側レール２は不用意に前方に移動する事はない。
【００２２】
次に、移動側レール２を引き出す時は、固定側レール１（移動側レール２）の前方に突出した操作突片７６を指先で移動側レール２の基板２２側（図６の矢印の方向）に押しやり、係止突片７８と固定側レール前端ストッパー１３の係止状態を解除し、この状態を維持しながら移動側レール２を前方に引き出す。
そして、引き出された移動側レール２を後方に移動させると（移動側レール２を固定側レール１に収納していくと）、移動側レールロック部材７の案内傾斜片７５が固定側レール前端ストッパー１３の端面に接触するので、案内傾斜片７５は取付基板７１側に変移しながら後方に移動する。そして、係止突片７８の前端が固定側レール前端ストッパー１３の内面側に位置した時、すなわち、スライドレール１００が最大縮小状態（固定側レール１に中間レール４、移動側レール２が収納された状態）となった時、弾性によって、案内傾斜片７５が初期状態に復帰し、係止突片７８が固定側レール前端ストッパー１３の内面に係止し、スライドレール１０の最大縮小状態（固定側レール１に中間レール４、移動側レール２が収納された状態）が維持され、移動側レール２の不用意な前方への飛び出しを阻止する。
【００２３】
次に、移動側レールロック部材の第３実施例を図８から図９に基づいて説明する。
第３実施例の移動側レールロック部材８は、合成樹脂材より一体に構成されている。
すなわち、移動側レール２の基板２２の先端部内面に位置する取付基板８１と、取付基板８１の上下端部に連設され、移動側レール２の折曲縁２１、２１内面に嵌入圧接する圧接翼片８２、８２と、取付基板８１の前端部に連設され、移動側レール前端ストッパー２２１に嵌合する嵌合部８０と、嵌合部８０の端部から取付基板８１と略平行に、移動側レール２の後方に突出する水平突片８４と、水平突片８４の後端から前側が順次開く変移用間隙８００を有して前方に突出する案内傾斜片８５と、案内傾斜片８５の前端に連設され、移動側レール２の前方に突出する操作突片８６より構成されている。
そして、嵌合部８０には移動側レール２の基板２２側が開口し、前記移動側前端ストッパー２２１が嵌合する嵌合溝８３が形成され、案内傾斜片８５の前端部に前記固定側レール前端ストッパー１３の内面側に係止する係止段部８８が形成されている。
【００２４】
移動側レールロック部材８は上記の如く構成されて、次のようにして移動側レール２に取付られる。
移動側レール２の先端部内面から、移動側レール前端ストッパー２２１が嵌合溝８３内に嵌入するよう、移動側レールロック部材８の圧接突片８２、８２を移動側レール２の各折曲縁２１、２１間に嵌入すると、合成樹脂材の弾性によって、内向き円弧状の折曲縁２１、２１の内面に圧接突片８２、８２が圧接し、移動側レール前端ストッパー２２１は嵌合溝８３に嵌合するので、移動側レールロック部材８の前後左右及び上下方向への移動は、圧接突片８２、８２と各折曲縁２１、２１、嵌合溝８３と移動側レール前端ストッパー２２１、取付基板８１と基板２２よって阻止される。
移動側レール２が固定側レール１に完全に収納された状態で、案内傾斜片８５の係止段部８８が固定側レール前端ストッパー１３の内面側に係止し（図８に示す状態）、使用者の意思で係合状態を解除しない限り、移動側レール２は不用意に前方に移動する事はない。
【００２５】
次に、移動側レール２を引き出す時は、固定側レール１（移動側レール２）の前方に突出した操作突片８６を指先で移動側レール２の基板２２側（図８の矢印の方向）に押しやり、係止段部８８と固定側レール前端ストッパー１３の係止状態を解除し、この状態を維持しながら移動側レール２を前方に引き出す。
【００２６】
そして、引き出された移動側レール２を後方に移動させると（移動側レール２を固定側レール１に収納していくと）、移動側レールロック部材８の案内傾斜片８５が固定側レール前端ストッパー１３の端面に接触するので、案内傾斜片８５は取付基板８１側に変移しながら後方に移動する。そして、係止段部８８の前端が固定側レール前端ストッパー１３の内面側に位置した時、すなわち、スライドレール１００が最大縮小状態（固定側レール１に中間レール４、移動側レール２が収納された状態）となった時、弾性によって、案内傾斜片８５が初期状態に復帰し、係止段部８８が固定側レール前端ストッパー１３の内面に係止し、スライドレール１０の最大縮小状態（固定側レール１に中間レール４、移動側レール２が収納された状態）が維持され、移動側レール２の不用意な前方への飛び出しを阻止する。
【００２７】
【発明の効果】
特許請求の範囲の請求項１、２、３に記載の発明によれば、移動側レールに保持される移動側レールロック部材は、固定側レールの基本構成である固定側レール前端ストッパーが係合（係止）する係合孔（係止突片、係止段部）を有し、移動側レールが固定側レールに対し最も収納された位置で前記係合孔（係止突片、係止段部）が固定側レール前端ストッパーに係合（係止）した状態で、移動側レールが固定側レールに最も収納された状態（スライドレールが最大縮小状態）を維持し、運送途中あるいは地震等によって本体がゆれても、移動側レールが不用意に飛び出す恐れがなく、操作突片が固定側レール（移動側レール）の前方に突出しているので、ロック状態の解除が容易である。
又、移動側レールロック部材は嵌合部、圧接翼片が一体に形成されて、移動側レールの基本構成である折曲縁、基板、移動側レール前端ストッパーに、ロック部材単体として取り付けられるので、スライドレール自体にロックに関わる部品の追加、あるいは、特別な加工を必要とせず安価に製作出来る。
【図面の簡単な説明】
【図１】本発明の第１実施例の側面図である。
【図２】図１のＡーＡ線断面図である。
【図３】（Ａ）は本発明の第１実施例の正面図である。
（Ｂ）はスライドレールの縦断面図である。
【図４】係合状態を解除した状態の図２に対応する断面図である。
【図５】第１実施例の移動側レールロック部材の斜視図である。
【図６】第２実施例の図２に対応する断面図である。
【図７】第２実施例の移動側レールロック部材の斜視図である。
【図８】第３実施例の図２に対応する断面図である。
【図９】第３実施例の移動側レールロック部材の斜視図である。
【符号の説明】
１                    固定側レール
１１                  折曲縁
１２                  基板
１３                  固定側レール前端ストッパー
１００                スライドレール
２                    移動側レール
２１                  折曲縁
２２                  基板
２２１                移動側レール前端ストッパー
６、７、８            移動側レールロック部材
６０、７０、８０      嵌合部
６１、７１、８１      取付基板
６２、７２、８２      圧接翼片
６４、７４、８４      水平突片
６５、７５、８５      案内傾斜片
６６、７６、８６      操作突片
６８                  係合孔
７８                  係止突片
８８                  係止段部
【図１】
0003697128.tif 000002
【図２】
0003697128.tif 000003
【図３】
0003697128.tif 000004
【図４】
0003697128.tif 000005
【図５】
0003697128.tif 000006
【図６】
0003697128.tif 000007
【図７】
0003697128.tif 000008
【図８】
0003697128.tif 000009
【図９】
0003697128.tif 000010